(57)【要約】      （修正有）【課題】  購入者が同等または同一の商品をより安価または適正な価格で購入するために価格を比較検討する際、必要な商品を求めて数店舗を巡り価格を比較したり、各店舗より提供されている折り込み広告またはホームページを用いて価格を収集し比較することなく容易に本発明の価格検索サイトで確認できること、また求めている商品のある一定期間内での底値を容易に把握できることである。【解決手段】価格検索サイトシステム構成図１を用いて、情報提供者がインターネットのホームページ上に調査した商品の販売価格または一定期間内の価格の変動を掲載し、商品購入者である利用者２がインターネットに接続可能なパソコンおよび携帯電話などの端末装置５を用いアクセスすることにより、自由にホームページを閲覧、更に検索項目の選択により必要な情報の抽出、を可能にする。【選択図】  図１
2005115894.tif 000002
【特許請求の範囲】
【請求項１】
（１）本発明の価格検索サイトは、市場に流通している商品の販売価格を各取扱い店横並びにリアルタイムで表示することにより、適正または安価な商品を選択する支援を可能にしたことを特徴とする検索サイト。
【請求項２】
（２）本発明の価格検索サイトは、市場に流通している商品に対し、掲載日から過去数週間または必要な期間に渡って遡った底値を表示することにより、適正価格を判断する支援を可能にしたことを特徴とする検索サイト。
【発明の詳細な説明】
【技術分野】
【０００１】  本発明の価格検索サイトは、インターネット上の特に価格を検索または閲覧することが可能なサイトに関するものである。
【発明の開示】
【発明が解決しようとする課題】
【０００２】  従来、商品の販売価格、特に生鮮食料品や日曜雑貨品など各店舗において価格のばらつきが見られる商品、また販売日や時間によって同一店舗においても価格の変動が起きる商品などの販売価格は、購入者が各店舗に足を運び店頭に表示される販売価格を確認する方法のほかは各店舗が独自に発行している新聞折り込み広告またはホームページなどにより公表される販売価格を確認する方法しかなく、同等または同一の商品をより安価または適正な価格で購入するためには購入者が必要な商品を求め数店舗を巡り価格を比較するか、各店舗より提供されている折り込み広告またはホームページを用いて価格を収集し比較する必要があった。【０００３】  また商品の販売価格の一定期間における底値、特に生鮮食料品や日曜雑貨品など各店舗において価格のばらつきが見られる商品、また販売日や時間によって同一店舗においても価格の変動が起きる商品などの販売価格の底値を購入者が把握することは、通常、購入者が独自に蓄積したデータをもとに把握することに限られ、公のデータから把握することは難しかった。【０００４】  よって本発明の価格検索サイトにより解決しようとする課題は、購入者が同等または同一の商品をより安価または適正な価格で購入するために価格を比較検討する際、必要な商品を求めて数店舗を巡り価格を比較したり、各店舗より提供されている折り込み広告またはホームページを用いて価格を収集し比較することなく容易に本発明の価格検索サイトで確認できること、また購入者が本発明の価格検索サイトにおいて、求めている商品のある一定期間内での底値を容易に把握できることである。
【課題を解決するための手段】
【０００５】  本発明の価格検索サイトにより上述した課題を解決するための手段は、市場に流通している商品の販売価格を店頭または広告表示または販売元において調査し、リアルタイムで各取扱い店当日の販売価格および一定期間内の価格の変動を各店横並びに掲載したホームページをインターネット上に設けることである。このホームページ内には価格検索を行なう商品および期間などを選択する項目を設け、利用者がインターネットに接続可能なパソコンおよび携帯電話などの端末装置を用いアクセスすることにより、自由にホームページを閲覧可能で更に検索項目の選択により必要な情報を抽出することを可能にする。
【発明の効果】
【０００６】  本発明の価格検索サイトには、商品購入者が同等または同一の商品をより安価または適正な価格で購入するために価格を比較検討する際、必要な商品を求めて数店舗を巡り価格を比較したり、各店舗より提供されている折り込み広告またはホームページを用いて価格を収集し比較することなく容易に本発明の価格検索サイトで確認可能し、また購入者が本発明の価格検索サイトにおいて、求めている商品のある一定期間内での底値を容易に把握可能にする効果がある。
【発明を実施するための最良の形態】
【０００７】  本発明の価格検索サイトのシステム構成図を
【図１】
に示す。本発明の価格検索サイトは、情報提供者１が収集した店頭または広告表示または販売元において調査した市場に流通している商品の販売当日価格および一定期間内の価格変動などの情報を、インターネットのホームページを用いて利用者２に提供するもので、価格検索サイトのホームページデータおよび情報提供者１によって収集された市場価格データはホストサーバー３内にあるデータベース４にデータとして構築されている。利用許可を得た利用者２はインターネットに接続可能なパソコンおよび携帯電話などの端末機器５を用いて本サイトにより市場に流通している商品の価格を閲覧、検索することで自由にデータベース４より必要な情報を取り出すことができる。
【実施例１】
【０００８】  本発明の請求項１および請求項２に記載した価格検索サイトの実施例１を
【図２】
に示す。
【図２】
に示すホームページには、店頭または広告表示または販売元において調査した市場に流通している商品項目別の当日価格を、販売個数、販売単価、各販売店での一定期間内の底値、販売店舗名などの形で表６に示されており、表６は同ページ内に配された表並べ替え項目７内にある表並べ替え選択チェックボックス８をチェックし、並べ替えの優先キー選択欄９を用いて優先キーを選択した上で、並べ替え開始ボタン１０をクリックすることによって本サイト利用者が自由に並べ替え可能である。また、利用者２が情報提供を必要とする範囲を指定することにより、その情報を絞り込むことが可能である。
【０００９】  本発明の請求項１および請求項２に記載した価格検索サイトの実施例２を
【図３】
に示す。
【図３】
に示したサイトでは、利用者が購入しようとしている商品を購入予定商品記入欄１１または購入予定商品選択欄１２いずれかによって選択することにより、抽出結果の表示例１
【図４】
に示すように販売店各店で購入した場合の各商品の販売価格および金額合計また各商品における当日の底値、また各商品に対する販売店別での一定期間内の底値が表示される。本サイトの利用者は購入予定商品記入欄１１、購入予定商品選択欄１２いずれかのチェックボックスをチェックすることで購入予定商品の選択方法を決定する。
【００１０】  抽出結果は、
【図５】
に示す抽出結果表示例２のように、利用者が選択した各購入予定商品に対する各販売店の当日販売価格および一定期間内の底値を示す表でも表示可能であり、利用者が
【図５】
に示された必要商品の購入選択ボックス１４にチェックを入れ、決定ボタン１５をクリックすると利用者が選択した商品の合計金額と底値購入合計金額、また各商品の購入予定店舗名および当日の底値、底値で販売している店舗名などを
【図６】
に示す購入予定商品の出力結果として再表示する。
【００１１】  また、
【図５】
抽出結果表示例２において各商品名の横にあるバーチャート表示ボタン１６をクリックすると各商品に対する価格調査を行なった一定期間内の各店舗販売価格変動が
【図７】
に示す価格変動バーチャートとして表示される。
【図面の簡単な説明】
【００１２】
【図１】価格検索サイトシステム構成図
【図２】価格検索サイトの実施例１
【図３】価格検索サイトの実施例２
【図４】抽出結果表示例１
【図５】抽出結果表示例２
【図６】購入予定商品の出力結果
【図７】価格変動バーチャート
【符号の説明】
【００１３】１情報提供者
２利用者
３ホストサーバー
４価格検索サイトのデータベース
５インターネットに接続可能な端末機器
６商品項目別の当日価格を示す表
７並べ替え項目
８並べ替え選択チェックボックス
９並べ替え優先キー
１０並べ替え開始ボタン
１１購入予定商品記入欄
１２購入予定商品選択欄
１３抽出データ選択ボックス
１４購入選択チェックボックス
１５決定ボタン
１６バーチャート表示ボタン
【図１】
2005115894.tif 000003
【図２】
2005115894.tif 000004
【図３】
2005115894.tif 000005
【図４】
2005115894.tif 000006
【図５】
2005115894.tif 000007
【図６】
2005115894.tif 000008
【図７】
2005115894.tif 000009